(57)【特許請求の範囲】
【請求項１】
被検体の胸部を対象とした核磁気共鳴イメージング装置で撮影したボリュームデータを記憶するボリュームデータ記憶部と、
前記ボリュームデータに基づいて、前記被検体の乳頭領域を特定する乳頭領域特定部と、
前記ボリュームデータから、乳房領域を閾値処理により特定する乳房領域特定部と、
前記特定された乳頭領域に基づいて前記乳房領域を複数の部分領域に区分するとともに、前記特定された乳房領域に基づいて前記胸部の領域を前記乳房領域と前記乳房領域以外の乳房外領域とに区分する乳房領域区分部と、
前記ボリュームデータを対象として、少なくとも１つの被検体の病変領域を特定する病変領域特定部と、
前記少なくとも１つの被検体の病変領域それぞれが属する、前記複数の部分領域と前記
乳房外領域とのうちいずれかの領域を特定する情報を、前記ボリュームデータに関連付け
て記憶する病変領域記憶部と、
を具備する医用画像処理装置。
【請求項２】
前記特定された乳頭領域に基づいて、前記特定された乳房領域の複数の分割面を決定する領域分割面決定部と、
前記ボリュームデータから、コロナル断面、サジタル断面、アキシャル断面の少なくとも１つに関するＭＰＲ画像を生成し、前記複数の分割面を合成表示する表示部と、
を更に具備する請求項１記載の医用画像処理装置。
【発明の詳細な説明】
【技術分野】
【０００１】
本発明の実施形態は、乳房領域を表示する医用画像処理装置に関する。
【背景技術】
【０００２】
従来、乳がんの発見には、Ｘ線マンモグラフィや超音波画像診断装置が用いられてきた。しかし、近年になり、被検体の胸部に対して、核磁気共鳴撮像が行われるようになってきた。特に、米国でハイリスクの患者に対し、最初の診断モダリティとして、核磁気共鳴撮像が推奨されるようになり、その後、Ｘ線マンモグラフィや超音波撮像を行う場合がある。また、Ｘ線マンモグラフィや超音波画像診断装置では、乳房領域の表現に関して、ＡＢＣＣ’ＤＥという表現方法がある。又は、乳房領域の表現に関して、乳頭を中心として病変を、時計の針の位置を使って領域を示す方法がある。
【先行技術文献】
【非特許文献】
【０００３】
【非特許文献１】（社）日本画像医療システム工業会編集  「医用画像・放射線機器ハンドブック」名古美術印刷株式会社  平成１３年、ｐ１７６〜１７７
【非特許文献２】Pascal A. Baltzer,M.D.;Matthias Dizel.M.D. et al.syngo BreVis-Efficient and Standardized Workflow for Breast MRI
【発明の概要】
【発明が解決しようとする課題】
【０００４】
しかし、核磁気共鳴イメージング装置では、Ｘ線マンモグラフィや超音波画像診断装置において見られるようなＡＢＣＣ’ＤＥといった表現や、乳頭を中心として、病変を時計の針の位置を使って領域を示す表現は存在しない。また、乳房ＭＲＩ撮像において標準的な領域表現は存在しない。さらに、核磁気共鳴撮像により得られた被検体の病変領域が、乳房領域が区分された複数の部分領域のうちどの部分領域に存在するかを示す技術は存在しない。
【０００５】
目的は、核磁気共鳴撮像で発見された画像上の乳房領域の病変領域を、Ｘ線マンモグラフィや超音波撮像の際に同一病変を画像上で容易に発見しやすくすることである。
【課題を解決するための手段】
【０００６】
本実施形態に係る医用画像処理装置は、被検体の胸部を対象とした核磁気共鳴イメージング装置で撮影したボリュームデータを記憶するボリュームデータ記憶部と、前記ボリュームデータに基づいて、前記被検体の乳頭領域を特定する乳頭領域特定部と、前記ボリュームデータから、乳房領域を閾値処理により特定する乳房領域特定部と、前記特定された乳頭領域に基づいて前記乳房領域を複数の部分領域に区分するとともに、前記特定された乳房領域に基づいて前記胸部の領域を前記乳房領域と前記乳房領域以外の乳房外領域とに区分する乳房領域区分部と、前記ボリュームデータを対象として、少なくとも１つの被検体の病変領域を特定する病変領域特定部と、前記少なくとも１つの被検体の病変領域それぞれが属する、前記複数の部分領域と前記乳房外領域とのうちいずれかの領域を特定する情報を、前記ボリュームデータに関連付けて記憶する病変領域記憶部と、を具備する。
【図面の簡単な説明】
【０００７】
【図１Ａ】本実施形態に係る核磁気共鳴イメージング装置のブロック図である。
【図１Ｂ】図１Ａの画像解析部８８のブロックをより詳細に示した図である。
【図２】領域分割面と正中線と境界線と乳頭領域区分線とにより区分された１４個の部分領域の位置を示した図である。
【図３】本発明の実施形態に係る乳房内の病変領域特定に関する処理手順を示すフローチャートである。
【図４】Ｘ線マンモグラフィや超音波画像診断装置で慣用的に用いられる区分された乳房の領域表示を示す図である。
【図５Ａ】従来における女性に対して用いられる乳房撮像の流れを示したフローチャートである。
【図５Ｂ】従来における乳がんの危険性が高い女性患者に対して用いられる乳房撮像の流れを示したフローチャートである。
【図６】図１のＭＰＲ画像表示部８５により発生されるアキシャル断面に関するＭＰＲ画像を示す図である。
【図７】図１のＭＰＲ画像表示部８５により発生されるコロナル断面に関するＭＰＲ画像を示す図である。
【図８】図１のＭＰＲ画像表示部８５により発生されるサジタル断面に関するＭＰＲ画像を示す図である。
【図９】左右の乳房領域を対象としたコロナル断面の位置を示した図である。
【発明を実施するための形態】
【０００８】
以下、図面を参照しながら本実施形態に係る医用画像処理装置を説明する。なお、以下の説明において、略同一の機能及び構成を有する構成要素については、同一符号を付し、重複説明は必要な場合にのみ行う。なお本実施形態に係る医用画像処理装置とは、核磁気共鳴イメージング装置、ワークステーションなどを指す。以下の説明に置いて、医用画像処理装置を核磁気共鳴イメージング装置とする。
【０００９】
まず、本実施形態に係る核磁気共鳴イメージング装置の構成について説明する。図１Ａは、本実施形態に係る核磁気共鳴イメージング装置の構成を説明するための図である。図１Ａに示すように、本実施形態に係る核磁気共鳴イメージング装置１００は、架台部１０と、磁場印加部２０と、送信部３０と、ＮＭＲ信号受信部４０と、シーケンス制御部５０と、寝台部６０と、寝台制御部７０と、コンソール８０とを有する。
【００１０】
架台部１０は、静磁場中に置かれた被検体Ｐに高周波磁場を照射することにより、被検体Ｐから発せられる磁気共鳴信号を検出する装置であり、静磁場磁石１１と、傾斜磁場コイル１２と、送信用ＲＦ（Radio Frequency）コイル１３と、受信用ＲＦコイル１４とを有する。
【００１１】
静磁場磁石１１は、中空の円筒形状に形成されており、内部の空間に一様な静磁場を発生させる磁石であり、例えば、永久磁石や超電導磁石などが用いられる。
【００１２】
傾斜磁場コイル１２は、中空の円筒形状に形成されたコイルであり、静磁場磁石１１の内側に配置される。傾斜磁場コイル１２は、互いに直交するＸ，Ｙ，Ｚの各軸に対応する３つのコイルが組み合わされて形成されている。前述の３つのコイルは、後述する磁場印加部２０から個別に電流供給を受けて、Ｘ、Ｙ、Ｚの各軸に沿って磁場強度が変化する傾斜磁場を発生させる。なお、Ｚ軸方向は、静磁場と同方向とされる。
【００１３】
また、傾斜磁場コイル１２によって発生するＸ，Ｙ，Ｚ各軸の傾斜磁場は、例えば、スライス選択用傾斜磁場Ｇｓ、位相エンコード用傾斜磁場Ｇｅ、及びリードアウト用傾斜磁場Ｇｒにそれぞれ対応する。スライス選択用傾斜磁場Ｇｓは、任意に撮像断面を決めるために利用される。リードアウト用傾斜磁場Ｇｒは、空間的位置に応じて磁気共鳴信号の周波数を変化させるために利用される。
【００１４】
送信用ＲＦコイル１３は、傾斜磁場コイル１２の内側に配置され、後述する送信部３０から高周波パルスが供給されることにより高周波磁場を発生させる。
【００１５】
受信用ＲＦコイル１４は、傾斜磁場コイル１２の内側に配置され、送信用ＲＦコイル１３によって発生した高周波磁場の影響で被検体Ｐから発せられる磁気共鳴信号を受信する。
【００１６】
磁場印加部２０は、傾斜磁場コイル１２に電流を供給する。送信部３０は、ラーモア周波数に対応する高周波パルスを送信用ＲＦコイル１３に送信する。受信部４０は、受信用ＲＦコイル１４から出力される磁気共鳴信号をデジタル化することによって生データを発生する。
【００１７】
シーケンス制御部５０は、コンソール８０から送信されるシーケンス情報に基づいて、磁場印加部２０、送信部３０及びＮＭＲ信号受信部４０を駆動することによって、被検体Ｐをスキャンする際の制御を行う。そして、シーケンス制御部５０は、被検体Ｐのスキャンを行った結果、ＮＭＲ信号受信部４０から生データが送信されると、その生データをコンソール８０へ転送する。
【００１８】
なお、「シーケンス情報」とは、磁場印加部２０が傾斜磁場コイル１２に供給する電源の強さ、電源を供給するタイミング、送信部３０が送信用ＲＦコイル１３に送信する高周波パルスの強さ、高周波パルスを送信するタイミング、及び受信部４０がＮＭＲ信号を検出するタイミングなど、スキャンを行うための手順を定義した情報である。
【００１９】
寝台部６０は、被検体Ｐが戴置される天板６１を備え、後述する寝台制御部７０による制御のもと、天板６１を、被検体Ｐが戴置された状態で傾斜磁場コイル１２の空洞（撮像口）内へ挿入される。通常、この寝台部６０は、長手方向が静磁場磁石１１の中心軸と並行になるように設置される。ここで、被検体Ｐは、例えば、天板６１に戴置された被検体Ｐには乳房撮像用の受信用ＲＦコイル１４が装着される。
【００２０】
寝台制御部７０は、寝台部６０を駆動して、天板６１を長手方向及び上下方向へ移動する。
【００２１】
コンソール８０は、核磁気共鳴イメージング装置１００の全体制御、データ収集、及び画像再構成などを行い、インターフェース部８１、記憶装置８３、入力部８４、ＭＰＲ画像表示部８５、ボリュームデータ発生部８６とを有する。
【００２２】
インターフェース部８１は、シーケンス制御部５０との間でやり取りされる各種信号の入出力を制御する。例えば、インターフェース部８１は、シーケンス制御部５０に対してシーケンス情報を送信する。また、インターフェース部８１は、シーケンス制御部５０から生データを受信する。
【００２３】
なお、インターフェース部８１によって受信された生データは、傾斜磁場コイル１２によって発生したスライス選択用傾斜磁場Ｇｓ、位相エンコード用傾斜磁場Ｇｅ及びリードアウト用傾斜磁場ＧｒによってＳＥ（Slice Encode）方向、ＰＥ（phase Encode）方向及びＲＯ（Read out）方向における空間周波数の情報が対応付けられたｋ空間データとして、記憶装置８３に格納される。
【００２４】
また、インターフェース部８１は、後述する入力部８４を介して入力された寝台移動要求を寝台制御部７０に送信する。また、寝台制御部７０は、受信した寝台移動要求に基づいて、寝台部６０を駆動させる。
【００２５】
記憶装置８３は、インターフェース部８１から転送されたｋ空間データや、データ処理部８２によって発生されたボリュームデータなどを被検体Ｐごとに記憶する。
【００２６】
ボリュームデータ発生部８６は、ＮＭＲ信号受信部４０の出力に基づいて、被検体の胸部を対象としたボリュームデータを発生する。
【００２７】
ＭＰＲ画像発生部８７は、ボリュームデータから、被検体の乳房領域を対象としたＭＰＲ画像を発生する。
【００２８】
画像解析部８８は、領域分割面を表示したり、病変領域を特定したりする。画像解析部８８の詳しい内容については後述する。
【００２９】
入力部８４は、ユーザーから各種指示や情報入力を受け付けるためのマウスやトラックボールなどのポインティングデバイス、モード切り替えスイッチ等の選択デバイス、あるいはキーボード等の入力デバイスを有する。
【００３０】
ＭＰＲ画像表示部８５は、ユーザーによって参照されるモニタであり、磁気共鳴画像など各種情報をユーザーに表示したり、入力部８４を介してユーザーからコマンドを受け付けるためのＧＵＩ（Graphical User Interface）を表示したりする。
【００３１】
以下、この主たる特徴について図１Ａとともに、図１Ｂ〜図９を用いて説明する。なお、図１Ｂは、本実施例に係る画像解析部８８をより詳細に示した図である。図２は、領域分割面と正中線と境界線と乳頭領域区分線により区分された１４個の部分領域の位置を示した図である。図３はボリュームデータが記憶装置８３に記憶されてから、病変領域が属する部分領域を特定するまでのフロー図である。図４は、臨床において用いられる乳房の領域表示を示す図である。図５Ａは、女性に対して用いられる乳房撮像のフローチャートである。図５Ｂは、従来の乳房撮像における、乳がんのリスクが高い女性に対して用いられる乳房撮像のフローチャートである。図６〜図８は、図１のＭＰＲ画像発生部８７により発生されたコロナル断面、アキシャル断面、及びサジタル断面のＭＰＲ画像である。図９は、左右の乳房領域を対象としたコロナル断面の位置を示した図である。
【００３２】
図１Ｂは、画像解析部８８をさらに詳細に示した図である。図１Ｂは、乳頭領域特定部８２１、乳房領域特定部８２２、乳房領域区分部８２３、及び領域分割面決定部８２４、病変領域特定部８２５、及びメモリ部８２６、正中線特定部８２７、及び境界線特定部８２８とを有する。乳頭領域特定部８２１は、ボリュームデータから、乳頭領域を閾値処理により特定する。乳頭領域検出部８２２は、ボリュームデータ発生部８６において発生されたボリュームデータに基づいて被検体の乳頭領域を検出する。乳房領域特定部８２２は、ボリュームデータから、左右の乳房領域を閾値処理により特定する。乳房領域区分部８２３は、検出された乳頭領域に基づいて乳房領域を複数の部分領域に区分するとともに、特定された乳房領域に基づいて胸部の領域を乳房領域と乳房領域以外の乳房外領域とに区分する。領域分割面決定部８２４は、検出された乳頭領域の位置に基づいて、左乳頭領域を通りアキシャル面に平行な第一の領域分割面と、左乳頭領域を通りサジタル面に平行な第二の領域分割面と、右乳頭領域を通りアキシャル面に平行な第三の領域分割面と、右乳頭領域を通りサジタル面に平行な第四の領域分割面とを決定する。病変領域特定部８２５は、ボリュームデータを対象として、被検体の病変領域を特定する。メモリ部８２６は、ＲＯＭ（read only memory）及びＲＡＭ(random access memory)等の要素を兼ね備える構成をもつ記憶装置である。メモリ部８２６は、ＩＰＬ（initial program loading）、ＢＩＯＳ(basic input/output system)のデータを記憶したり、ＣＰＵのワークメモリやデータの一時的な記憶に用いたりする。正中線特定部８２７は、乳頭領域特定部８２１において特定された乳頭領域の位置に基づいて被検体の中心を通る正中線の位置を特定する。境界線特定部８２８は、閾値処理により被検体と被検体以外とを区別するための境界線を特定する。
【００３３】
以下図３を用いて病変領域が属する部分領域を特定するためのフローチャートの詳細を説明する。
【００３４】
Ｓ１１では、ＮＭＲ信号受信部４０の出力に基づいてボリュームデータ発生部８６により発生された、被検体の胸部を対象としたボリュームデータを記憶装置８３に記憶する。
【００３５】
Ｓ１２では、乳房領域特定部８２２において、ボリュームデータを対象とした閾値処理により図８における左右２つの乳房領域（Ａ,Ｂ,Ｃ,Ｄ）が特定される。一例として、領域拡張法などの方法を用いる。領域拡張法とは、操作者により肺野領域内に指定された出発点となる画素（シード点）を与え、それに隣接する画素を濃度値の類似性に基づいて順次統合しながら入力画像内のある領域を抽出する処理である。
【００３６】
Ｓ１３では、乳頭領域特定部８２１において、ボリュームデータを対象として図３における左右２つの乳頭領域Ｅ及びＪが特定される。
【００３７】
Ｓ１４では、正中線特定部８２７において、Ｓ１３で特定された乳頭領域の例えば重心の位置に基づいて、図３における正中線１１１の位置が特定される。
【００３８】
Ｓ１５では、境界線特定部８２８において、図３における被検体と被検体外との境界線１２０及び１２１が閾値処理により特定される。
【００３９】
Ｓ１６では、領域分割面決定部８２４において、Ｓ１２で特定された左右の乳房領域内を対象として、図３に示されるような乳頭領域の重心の位置で交差する、アキシャル面に平行な第三の領域分割面１１７及び第一の領域分割面１１９の位置と、サジタル面に平行な第四の領域分割面１１６及び第二の領域分割面１１８の位置とが決定される。第一の領域分割面１１９の位置と第三の領域分割面１１７の位置は、左右の乳頭領域の例えば重心の位置に基づいて、左右それぞれ独立に決定される。同様に、第二の領域分割面１１８の位置と第四の領域分割面１１６の位置についても左右の乳頭領域の例えば重心の位置に基づいて、左右それぞれ独立に決定される。その後、ユーザーが、マウスやキーボード等の入力デバイスに領域分割面を微調整するための情報を入力することにより、領域分割面の位置が微調整され、最終的な領域分割面の位置が決定される。
【００４０】
Ｓ１７では、乳房領域区分部８２３において、Ｓ１６において決定された領域分割面に基づいて、右乳房領域を、乳頭領域を除く４つの部分領域（図２におけるＡ,Ｂ,Ｃ,Ｄ）に区分するとともに、左乳房領域を、乳頭領域を除く４つの部分領域（図２におけるＡ,Ｂ,Ｃ,Ｄ）に区分する。同時に、Ｓ１２において特定された乳房領域に基づいて胸部の領域を乳房領域（図２におけるＡ,Ｂ,Ｃ,Ｄ,E）と乳房領域以外の乳房外領域(図２におけるＣ’)とに区分する。さらに、Ｓ１３により特定された乳頭領域区分線（図２における１１３及び１１５）により、乳輪領域Ｅと、その他の領域（Ａ,Ｂ,Ｃ,C’,Ｄ）とが区分される。さらに、乳輪領域Ｅと乳頭領域E’を形状に基づいて区別する。Ｓ１７における以上の処理により、乳房領域が１４個の部分領域（図２におけるＡ,B,C,C’,D,E,E’）に区分される。Ａは、乳房領域における内側上部、Ｂは、乳房領域における内側下部、Ｃは、乳房領域における外側上部、Ｄは乳房領域における外側下部、Ｅは乳輪領域である、Ｅ’は乳頭領域である。また、Ｃ’は、被検体の腋付近におけるリンパ節が集中している領域を示す。
【００４１】
Ｓ１８では、病変領域特定部８２５において、ボリュームデータから閾値処理により病変領域を特定する。複数の病変領域が存在する場合においても、複数の病変領域それぞれについて病変領域を特定する。
【００４２】
Ｓ１９では、記憶装置８３において、少なくとも１つの被検体の病変領域それぞれが属する、複数の部分領域と乳房外領域とのうちいずれかの領域を特定する情報をボリュームデータに関連付けて記憶する。複数の病変領域が存在する場合でも、複数の病変領域それぞれについて、病変領域が属する部分領域を特定する情報をボリュームデータに関連付けて記憶する。病変領域が複数の部分領域にまたがっている場合、一例として、病変領域と部分領域とが重なる面積に基づいて、病変領域が属する部分領域を特定する。
【００４３】
図４は、右乳房領域と、乳房領域周辺のリンパ節とを示す図である。図４に示されるように、右乳房領域は大きくA,B,C,C’,D,Ｅの６つに分けられる。図４のＡは、乳房領域における内側上部、Ｂは、乳房領域における内側下部、Ｃは、乳房領域における外側上部、Ｄは、乳房領域における外側下部、Ｅは、乳輪領域を表す。また、Ｃ’は、被検体の腋付近におけるリンパ節が集中している領域を示す。左乳房の場合、Ａ、Ｂ、Ｃ、及びＤの各符号は、被検体の正中線を軸として左右対称となる。各領域における乳がん発生頻度は、おおよそ、Ａ領域２５％、Ｂ領域１０％、Ｃ及びＣ’領域５０％そしてＤ領域１０％である。特にＣ’領域は多数のリンパ節を有する部位であり、乳がん発生頻度が高いことが一般的に知られている。
【００４４】
図５Ａは、従来における乳がんのリスクが高い女性に対して用いられる乳房撮像の流れである。まず、Ｘ線マンモグラフィ―や超音波画像診断装置で撮像する。次に、ユーザーが画像を見て、病変領域がないと判断した場合には、乳房撮像を終了する。良性のガンを発見した場合には、医者は患者の体内に存在するガンの経過を観察する。ガンが良性であるか疑わしい場合には、その後、核磁気共鳴撮像を行う。
【００４５】
図５Ｂは、乳がんのリスクが高い女性に対して用いられる乳房撮像の流れである。乳がんリスクの高い女性に対して核磁気共鳴イメージング装置を用いて年に一度撮像するように推奨されている。従って、初めに核磁気共鳴イメージング装置を用いて撮像を行う。次に、ユーザーが、核磁気共鳴イメージング装置で撮像して得られた画像を見て、患部がないか、あるいは、ガンが存在するが良性のガンであると判断した場合には、医者は患者の体内に存在するガンの経過を観察する。ガンが良性であるか疑わしい場合には、血液検査などの生体検査を行う。このように、核磁気共鳴イメージング装置での撮像後、さらに患部を精密に検査するため、Ｘ線マンモグラフィや超音波撮像を行うという臨床ニーズが生じてきた。
【００４６】
図６〜図８は、コロナル断面、サジタル断面、アキシャル断面に関するＭＰＲ画像である。図６は、アキシャル断面におけるＭＰＲ画像である。右乳頭領域１００の重心、及び左乳頭領域１０１の重心を通るように第二の領域分割面１０２、及び１０３が表示される。図７は、コロナル断面におけるＭＰＲ画像である。右の乳頭領域１０６の重心、及び左の乳頭領域１０７の重心を通過するように領域分割面１０４、１０５、１０７、１０８が表示される。また、図７の右乳房と、左乳房は、左右独立にＭＰＲ処理され、左右並べて配置された合成画像である。図８は、サジタル断面におけるＭＰＲ画像である。乳頭領域１１０の重心を通過するように、領域分割面１０９が表示される。
【００４７】
図９は、左右の乳房領域を対象としたコロナル断面の位置を模式的に示した図である。図９に示されるように、左右それぞれ独立に、コロナル方向に関して異なる深さを有するコロナル断面のＭＰＲ画像が発生される。その後、図６、及び図７に示されるような２枚のコロナル断面のＭＰＲ画像を合成したＭＰＲ画像が発生される。
【００４８】
以上、本発明の効果として、核磁気共鳴イメージング装置により撮影された３次元画像における乳房の病変領域の特定が容易にできるようになる。また、核磁気共鳴イメージング装置により撮影された３次元画像と、Ｘ線マンモグラフィ―装置や超音波画像診断装置の画像とを比較する際、同一の病変領域の特定が容易にできるようになる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００５０】
１０…架台部、１１…静磁場磁石、１２…傾斜磁場コイル、１３…送信用ＲＦコイル、１４…受信用ＲＦコイル、２０…傾斜磁場電源、３０…送信部、４０…受信部、５０…シーケンス制御部、６０…寝台部、６１…天板、６２…第二表示部、６３…刺激発生装置、６４…刺激発生装置用コンソール、７０…寝台制御部、８０…コンソール、８１…インターフェース部、８２…データ処理部、８３…記憶装置、８４…入力部、８５…表示部、８６…ボリュームデータ発生部、８７…ＭＰＲ画像発生部、８８…画像解析部、１００…ＭＲＩ装置、１００…右乳頭領域、１０１…左乳頭領域、１０２…第二の領域分割面、１０３…第四の領域分割面、１０４…第四の領域分割面、１０５a…第三の領域分割面、１０５b…第一の領域分割面、１０８…第二の領域分割面、１０９…アキシャル面に平行な領域分割面、１０１、１０６、１１０…乳頭領域、１１１…正中線、１１２…右乳房領域区分線、１１３…右乳輪領域区分線、１１４…左乳房領域区分線、１１５…左乳輪領域区分線、１１６…第四の領域分割面、１１７…第三の領域分割面、１１８…第二の領域分割面、１１９…第一の領域分割面、１２０…右胸部を対象として被検体と被検体以外とを区別する境界線、１２１…左胸部を対象として被検体被検体以外とを区別する境界線、１２２…右乳房を対象としたコロナル断面のＭＰＲ画像、１２３…乳房を対象としたコロナル断面のＭＰＲ画像、８２１…乳頭領域特定部、８２２…乳房領域特定部、８２３…乳房領域区分部、８２４…領域分割線決定部、８２５…病変領域特定部、８２６…メモリ部、８２７…正中線特定部、８２８…境界線特定部
【図１Ａ】
0005858717.tif 000002
【図１Ｂ】
0005858717.tif 000003
【図２】
0005858717.tif 000004
【図３】
0005858717.tif 000005
【図４】
0005858717.tif 000006
【図５Ａ】
0005858717.tif 000007
【図５Ｂ】
0005858717.tif 000008
【図６】
0005858717.tif 000009
【図７】
0005858717.tif 000010
【図８】
0005858717.tif 000011
【図９】
0005858717.tif 000012